(57)【要約】      （修正有）【課題】携帯電話の内蔵する個人情報を所有者自らが管理できるよう携帯電話端末を提供する。【解決手段】携帯電話本体と個人情報保持部との間を、操作者が手動によって、接続／切断が可能な接続部によって接続するようになし、接続を切り離した際にも脱落しないような脱落防止保持部と、接続部の接続／切断の状態を所有者が確認することができる接続状態確認部とを設けた。さらに、一連の操作による使用の後には自動的に前記接続部を切断する自動切断機構を設けた。【選択図】図１
0003144620.tif 000002
【実用新案登録請求の範囲】
【請求項１】
携帯電話本体部と、個人情報を保持する個人情報保持部とを有する携帯電話端末装置であって、
操作者の手動操作により、機械的に接続／切断が可能な、前記個人情報保持部と前記携帯電話本体部とを接続する接続部と、接続／切断どちらの状態でも、個人情報保持部が分離脱落せずに、そのまま保持することが可能になすための脱落防止保持部と、更にその接続状態を操作者が確認可能になすための接続状態確認部とを備えたことを特徴とする携帯電話端末装置。
【請求項２】
前記脱落防止保持部とは、個人情報保持部を包むように形成されたカバー部材であることを特徴とする請求項１に記載の携帯電話端末装置。
【請求項３】
前記接続状態確認部とは、接続状態を視覚により確認可能にするための透明な材料による部材であることを特徴とする請求項１または２に記載の携帯電話端末装置。
【請求項４】
前記個人情報保持部とは、メモリを内蔵するカードであることを特徴とする請求項１乃至３に記載の携帯電話端末装置。
【請求項５】
前記接続部は、一連の操作終了時には、自動的に切断されるような、自動切断機構を備えたことを特徴とする請求項１乃至４に記載の携帯電話端末装置。
【考案の詳細な説明】
【技術分野】
【０００１】
本考案は、個人情報を個人が管理することができるようになした携帯電話端末に関するものである。
【背景技術】
【０００２】
携帯電話に非接触ＩＣカードの機能が搭載され、おサイフケータイとして使用されている。この機能により、小口の現金支払から、クレジットカードによる信用取引まで、行うことができる機能がすでに携帯に搭載されている。以下、ここでは、最終的に金銭の授受に関与するような携帯電話の機能を総称してクレジット機能と呼ぶことにする。このようなクレジット機能を利用できる受付装置も、街中にたくさん設置されるようになってきており、たいへん便利になってきているのは間違いない。
【０００３】
この、携帯電話におけるクレジット機能の実現には、暗号化技術が用いられており、これにより、クレジット番号などの信用情報を含む個人情報も保護されている。
【０００４】
一方、米Ｇｏｏｇｌｅ社の携帯電話用のアプリケーション開発環境であるＡｎｄｏｌｏｉｄの公開や、米Ａｐｐｌｅ社の携帯電話ｉＰｈｏｎｅ用の開発環境の公開、あるいは無償提供などもなされつつあり、携帯電話の上で稼動するアプリケーションの開発環境が急速に整備されてきている。それにより、一般的なソフトエンジニアであれば、携帯電話上のアプリケーションの開発ができるようになってきた。その結果、携帯電話はまさに小型のパソコンと言っても良い状況になりつつある。
【０００５】
そのパソコンにおいては、特にネットワークの活用に付随して、コンピュータウイルスが大量に作られて、それによる被害は非常に大きく、社会問題とさえなっている。携帯電話においては、通信機能は最初から付いており、クレジット機能もすでにある。また、通話待機のために、常時電源が入ったままである。また、パソコンの場合は、特別な設定をしない限り、外部から通信が自動的に接続されることはないが、携帯電話では、外部からの着信は当たり前である。
【０００６】
このような状況では、携帯電話のセキュリティ機能がいかに強化されようとも、いずれ、そのセキュリティは破られると見なすのが妥当であろう。携帯電話の持つ、クレジット機能はたいへん便利であるが、その危険性もまた巨大なものとなるのは想像に難くない。
【０００７】
純粋に技術的にはソフトウェアによって個人情報を完璧に守ることができるかも知れないが、サービス提供者側にひとりの不心得者がいれば、これが破られる可能性があることは否定できない。また、街中にあふれる情報端末のすべてが信用できるということを保証できる者は誰もいない。
【考案の開示】
【考案が解決しようとする課題】
【０００８】
この問題の本質は、ソフトウェアのみによって、機密が守られているということである。どんなにすばらしいソフトウェアであっても、それをユーザ自身が開発したものでなければ、そのソフトにユーザの機密情報をゆだねるというのは、結局、そのソフトを作成した人間を信用すると言うことになる。つまり、最初から他人にサイフを預けた状態になっている。
【０００９】
本来は、秘密にすべきものは、秘密を有する本人自らの手で管理するべきである。よって、ここに、秘密の管理を秘密の所有者の元に戻す方法を提案する。
【００１０】
解決策は機密情報の保持部分を機械的に分離可能として、所有者が必要な時のみに、所有者の判断で接続できるようにすればよい。これが基本である。これは、個人情報をメモリカードなどに保持しておいて、必要な時のみ接続するようにすれば、直ちに実現可能である。しかしながら、携帯電話は、携帯できるのが特徴であるから、メモリカードを携帯と別々に保持することは、わずらわしさを増すことになる。クレジットカードを携帯電話に取り込む事でひとつにして、利便性を増そうと言う動きに反することになる。
【００１１】
よって、単にメモリ部分を分離可能にするだけでは不十分で、これを分離した状態であっても、携帯電話と一体に保持できる機構が必要である。また、一体に保持したとしても、所有者の意思によらずに、携帯電話に接続されてはいないことが確認できなければならない。
【課題を解決するための手段】
【００１２】
よって、携帯電話本体部と、個人情報を保持する個人情報保持部とを有する携帯電話端末装置であって、操作者の手動操作により、機械的に接続／切断が可能な、前記個人情報保持部と前記携帯電話本体部とを接続する接続部と、接続／切断どちらの状態でも、個人情報保持部が分離脱落せずに、そのまま保持することが可能になすための脱落防止保持部と、更にその接続状態を操作者が確認可能になすための接続状態確認部とを備えるようになした。
【００１３】
これにより、個人情報保持部と携帯電話本体との接続が、操作者の意思に反して行われることがなくなったので、例え、どのような悪質なソフトウェアであっても、それによってただちに、個人情報が漏出されるということは防ぐことができるようになった。
【００１４】
また、前記脱落防止保持部とは、個人情報保持部を包むように形成されたカバー部材となした。これにより、例えばカバー部材ごと個人情報保持部をスライドさせて、携帯電話本体と接続／切断ができるような構造になすことができた。
【００１５】
また、前記接続状態確認部とは、接続状態を視覚により確認可能にするための透明な材料による部材を設けたので、操作者がいつでも、接続の状態を直接確認できるようになった。
【００１６】
また、前記個人情報保持部とは、メモリを内蔵するカードとした。これにより、既存のメモリーカードを利用すれば、簡単に実現することが可能になった。
【００１７】
また、さらに、前記接続部は、一連の操作終了時には、自動的に切断されるような、自動切断機構を備えたので、個人情報を使用した後に、携帯電話本体と個人情報保持部との間の接続を切断し忘れた時には、自動的に切断できるようになった。
【考案の効果】
【００１８】
このようにすれば、少なくとも個人情報が使用される時点を使用者が把握することができるようになる。これによって、完璧に個人情報が保護できるとは言えないが、少なくとも、所有者の意思を最低限でも介入させることができるようになる。
【００１９】
また、所有者にセキュリティの意識付けを持たせられることも重要である。大事なものは自分で管理することが基本であるという原点に戻ることにより、自己責任という考えが広まり、コンピュータリテラシへとつながる。
【考案を実施するための最良の形態】
【００２０】
以下、図面を参照しながら、この考案の実施例を示す。
【実施例１】
【００２１】
図１は本考案の構成を示す図である。脱落保持部と接続状態確認部については、様々な構成や形状が可能であることは言うまでもない。脱落保持部を透明な材料で形成して、接続状態確認部と兼用することも考えられる。あるいは、脱落保持部を携帯電話本体の一部として形成したり、接続状態確認部が部材に開いた窓として作られていてもよい。
また、接続状態確認部は、視覚的に直接に接続部を見ることができなくても、メカ的な機構によって、接続状態を操作者に示すような構造も考えられる。
更に発展系としては、個人情報保持部に暗号化などの機能を有する情報処理回路を内蔵することで、更にセキュリティを強化することも考えられる。
【産業上の利用可能性】
【００２２】
携帯電話がクレジット機能を持ちながらパソコン化した場合に、そのセキュリティの問題は社会問題となりうる。これによる脅威を比較的単純な方法で減ずることで、携帯電話の利便性に寄与することができる。
【図面の簡単な説明】
【００２３】
【図１】第１の実施例の構成を示す図である。
【図１】
0003144620.tif 000003